(57)【要約】      （修正有）【課題】逆接続防止機能を損なわずに、小型、軽量で、安価な電池ホルダー装置を提供する。【解決手段】収容する複数の電池を直列に並べて接続するときの構造物Ａとして、各電池間を仕切って電池の正極電極部を受け入れる開口３９を有するとともに、正極電極部の高さよりも厚みＴが小さい絶縁性の仕切り板３３を備え、これら全ての仕切り板３３または一部の仕切り板３３を厚みＴ方向に可動とし、仕切り板３３に厚み方向に突出して電池の飛び出し側に引っ掛かる引っ掛かり部３３３を設ける。【選択図】  図１
2004259622.tif 000002
【特許請求の範囲】
【請求項１】
収容する複数の電池を直列に並べて接続し、各電池の接続部分に逆接続を防止するための構造物を有した電池ホルダー装置であって、
前記構造物は、各電池間を仕切って電池の正極電極部を受け入れる開口を有するとともに、正極電極部の高さよりも厚みが小さい絶縁性の仕切り板を備え、これら全ての仕切り板または一部の仕切り板を厚み方向に可動とし、少なくとも可動な仕切り板の一部または全ての片面または両面に厚み方向に突出して、前記収容した電池の飛び出し側に引っ掛かる引っ掛かり部を設けたことを特徴とする電池ホルダー装置。
【発明の詳細な説明】
【０００１】
【発明の属する技術分野】
本発明は、電池が逆極性の状態で組み込まれることを防止することができる逆接続防止構造を有した電池ホルダー装置に関するものである。
【０００２】
【従来の技術】
電池の逆接続を防止する構造物を有した電池ホルダー装置として、従来、図１９〜図２５に示すものが知られている。電池４個を直列に並べる場合を示している。図１９に示す電池ホルダーａはこれに一体形成した仕切り板ｂによって長手方向に仕切られ、４つの収納室ｃを持っている。各収納室ｃは図１９に示すように電池ホルダーａの一方の端部壁ｅと各仕切り板ｂとの同じ側の面に設けた図２２に示すような電極板ｈおよびこれに取り付けたコイルバネｄを有している。
【０００３】
図２３に示す電池ｆはその平坦な端面をなしている負極電極部ｆ１がコイルバネｄと接触する同じ向きで各収納室ｃに収納される。このとき電池ｆはコイルバネｄによって突起状の正極電極部ｆ２が対向する各仕切り板ｂおよび電池ホルダーａの他方の端部壁ｉの側に付勢される。これら仕切り板ｂおよび端部壁ｉには各収納部ｃに収納され前記のように付勢される電池ｆの正極電極部ｆ２を受け入れる図１９〜図２０に示すような開口ｇが設けられている。
【０００４】
仕切り板ｂおよび端部壁ｅ、ｉは電池ｆの正極電極部ｆ２の図２３に示す高さＢよりも小さい。これによって、仕切り板ｂの開口ｇに受け入れられた電池ｆの正極電極部ｆ２は、図２４に示すように仕切り板ｂとの間に遊びを残して、従って仕切り板ｂに邪魔されないで反対側の電極板ｈに圧接する。この結果、その電極板ｈに取り付けられたコイルバネｄに接触し付勢されている図２４に仮想線で示した隣室の電池ｆと電気的に繋がる。
【０００５】
もし電池ｆが図２５に示すように逆向きに収納されると、電池ｆは仕切り板ｂに対し、平坦な負極電極部ｆ１にて当接する。このため、電池ｆと電極板ｈとは仕切り板ｂによって接触を邪魔されて、相互間に仕切り板ｂの厚み分だけの隙間ｊができ、隣室の電池ｆと電気的に接続されることはない。つまり、逆接続が防止される。
【０００６】
【発明が解決しようとする課題】
しかし、上記従来のような逆接続防止構造では、図１９で見られるように電池ホルダーａに組み込む電池ｆの数と同数のコイルバネｄおよび電極板ｈが必要である。このため、電池ホルダー装置のさらなる小型化への妨げ、延いては電池ホルダー装置を有する製品のさらなる小型化の妨げになる。同時に、コイルバネｄおよび電極板ｈが多くいる分だけコストがかさむし、重量化もする。
【０００７】
そこで、本出願人は、可動な仕切り板を採用することにより、逆接続防止機能を損なわず、小型、軽量で、安価な電池ホルダー装置を開発し、先に提案している。しかし、さらなる改良を重ねるべく種々に実験をし、検討を重ねるなか、電池の直列な接続数が多くなるほど収容した電池が不安定になり、製品取り扱い時の衝撃などが原因で電池ホルダーから飛び出すことが考えられる。これを防止するのに、製品内に位置している電池ホルダーにもかかわらず蓋を設けるとコスト上昇の原因になる。また、電池ホルダーが上向きとなるように製品の取り扱い向きを限定しても、衝撃の度合や種類などによっては防止し切れないし、小さな製品では取り扱い向きを指定しても守られる保証はない。また、電池を順次に収納して接続していく過程でも、幼児やお年寄りの場合などバランスを崩して電池が飛び出すことが考えられ、電池の収納に手間がかかることも予想される。
【０００８】
本発明の目的は、可動な仕切り板を利用して、大きさ、重さ、コストの面で有利に逆接続防止を図るのに併せ、電池を安定に収納できる電池ホルダー装置を提供することにある。
【０００９】
【課題を解決するための手段】
上記の目的を達成するために、本発明の電池ホルダー装置は、収容する複数の電池を直列に並べて接続し、各電池の接続部分に逆接続を防止するための構造物を有した電池ホルダー装置であって、前記構造物は、各電池間を仕切って電池の正極電極部を受け入れる開口を有するとともに、正極電極部の高さよりも厚みが小さい絶縁性の仕切り板を備え、これら全ての仕切り板または一部の仕切り板を厚み方向に可動とし、少なくとも可動な仕切り板の一部または全ての片面または両面に厚み方向に突出して、前記収容した電池の飛び出し側に引っ掛かる引っ掛かり部を設けたことを特徴としている。
【００１０】
このような構成では、各仕切り板はその厚みと開口とによって、両側の電池の対向し合う正極電極部と負極電極部とは接触させ、対向し合う負極電極部どうしは接触させない逆接続防止機能を有して電池間に位置し、全ての仕切り板または一部の仕切り板が厚み方向に可動であることによって、電池どうしがその端部側から押圧されて接触し合うときの移動に従動しながら前記逆接続防止機能を発揮する。従って、直列に並んだ電池の少なくとも一端側に付勢ばねを設けるだけで逆接続が防止でき、小型かつ軽量で安価なものとなる。
【００１１】
特に、電池の装着に際し、仕切り板の片面または両面に厚み方向に突出している引っ掛かり部を、可動とした仕切り板の移動により得られる余裕を持って、対応している電池の飛び出し側に容易に引っ掛かけて、電池が飛び出すのを防止することができる。引っ掛かり部が１つの仕切り板の片面に設けているだけでも、電池ホルダーに収容している電池全体の安定に寄与することができ、引っ掛かり部を多く設けるほど飛び出し防止効果は高くなる。
【００１２】
本発明のそれ以上の目的および特徴は、以下の詳細な説明および図面によって明らかになる。本発明の各特徴は、それ単独で、あるいは種々な組み合わせで複合して採用することができる。
【００１３】
【発明の実施の形態】
以下、本発明の実施の形態に係る電池ホルダー装置について、幾つかの実施例に基づき説明する。
【００１４】
本実施の形態の電池ホルダー装置は、図１〜図１３に示す実施例１、図１４〜図１８に示す実施例２のように、絶縁性の電池ホルダー３１に複数の電池２０を図８、図１４に示すように直列に並べて収容し接続するものであって、各電池２０の接続部分に逆接続を防止するための構造物Ａを有している。この構造物Ａは、図４に示す例や、図１４、図１５に示す例のように、各電池２０間にて電池２０の正極電極部２１を受け入れる開口３９を有した絶縁性の仕切り板３３を備えている。これらの仕切り板３３は正極電極部２１の高さＢよりも厚みＴが小さい。また、これら仕切り板３３の全て、または一部はその厚みＴ方向に可動としている。電池ホルダー３１および仕切り板３３は共に合成樹脂製であることによって絶縁性を満足している。
【００１５】
このような各仕切り板３３は、その厚みＴと開口３９とによって、逆接続防止機能を有して電池２０間に位置する。具体的には、両側の電池２０の図４に示すように対向し合う正極電極部２１と負極電極部２２とは仕切り板３３の開口３９を通じ余裕スペースＳ１を持って接触させ、図５に示すように対向し合う負極電極部２２どうしは仕切り板３３によって接触を邪魔し、その厚みＴ分の隙間Ｓを与えて接続させない。これに併せ、仕切り板３３の全てまたは一部が厚みＴ方向に可動であることによって、電池２０どうしが図８、図１２に示す例のコイルバネ５１、図１４、図１５に示す例のコイルバネ５１に押圧されて接触し合うときの移動に従動しながら前記逆接続防止機能を発揮する。従って、直列に並んだ電池２０の一端側にコイルバネ５１などの付勢部材を設けるだけで、あるいは両端側にコイルバネ５１を設けるだけで逆接続が防止でき、小型かつ軽量で安価なものとなる。
【００１６】
また、本実施の形態に係る電池ホルダー装置は、電池２０の保持が不安定になることに対応して、図１〜図１３に示す実施例１、図１４〜図１８に示す実施例２のように、少なくとも可動とした仕切り板３３の一部または全ての片面または両面に厚みＴ方向に突出して、前記収容した電池の飛び出し側に引っ掛かる、図１、図２、図６、図８に示す例のような引っ掛かり部３３３、または図１４〜図１８に示す例のような引っ掛かり部３３３などを設ける。このように仕切り板３３の片面または両面に厚みＴ方向に突出している引っ掛かり部３３３は、仕切り板３３の移動により得られる余裕によって、対応している電池２０の飛び出し側に図６、図１６に示すように容易に引っ掛けられる。この引っ掛かりによって引っ掛かり部３３３は電池２０が飛び出すのを防止する。ここで、引っ掛かり部３３３が可動とした１つの仕切り板３３の片面に設けているだけでも、電池ホルダー３１に収容している電池２０全体の安定に寄与することができ、引っ掛かり部３３３は多いほど飛び出し防止効果は高くなる。しかし、多すぎると電池２０の着脱の邪魔になるので適度に設けるのが好適である。以上のように本実施の形態によれば、電池２０の収納の安定に不利とも思える仕切り板３３の移動を利用して電池２０の飛び出しを防止する装着が可能になる。しかも、構造を特に複雑にすることはなくコスト上昇の原因にはならない。
【００１７】
図１〜図１３に示す実施例１は、４個の電池２０を直列に並べて接続する場合の１例である。以下具体的に説明する。既述した電池ホルダー３１として、図７に示すような半円形部分から少し上方へストレートに延びた横断面形状を有し、４個の電池２０を直列に並ぶように収納する細長い形態の電池ホルダー３１ａを構成している。この電池ホルダー３１ａはその長手方向に既述した仕切り板３３によって前記４個の電池２０を個別に収納する４つの収納室１〜４に仕切られている。ここでの仕切り板３３は固定型の仕切り板３３ａと、可動型の仕切り板３３ｂとで構成している。仕切り板３３の開口３９としては可動型の仕切り板３３ａに開口３９ａを形成し、仕切り板３３ｂに開口３９ｂを形成している。
【００１８】
仕切り板３２ａは図７に示すように電池ホルダー３１に一体成形して固定型としている。しかし、一体成形に限られることはない。仕切り板３３ｂは図６に示すような電池ホルダー３１の周方向形状に合った輪郭部を有し、この輪郭部の左右２箇所と下部１箇所とに突片３３ｂ１、３３ｂ１と突片３３ｂ２とを一体に形成している。これに対応して電池ホルダー３１ａの仕切り板３３ｂを設ける各位置には周方向の左右２箇所と底部１箇所とにスライド孔３６ａ、３６ａと３６ｂとを形成している。各仕切り板３３ｂはそれぞれの位置で下部の突片３３ｂ２を対応する底部のスライド孔３６ｂに挿入しながら、左右の突片３３ｂ１、３３ｂ１を、対応する左右のスライド孔３６ａ、３６ａに上方から無理嵌めすることで、電池ホルダー３１ａに対し抜け止め状態に装着している。この装着状態で仕切り板３３ｂは突片３３ｂ１、３３ｂ１、３３ｂ２とスライド孔３６ａ、３６ａ、３６ｂとの嵌まり合いによる案内を受けてスムーズに厚みＴ方向に移動できる。
【００１９】
仕切り板３３ａの開口３９ａ、仕切り板３３ｂの開口３９ｂのいずれも、電池ホルダー３１に収納された電池２０の正極電極部２１をその軸線方向に受け入れる位置から、仕切り板３３ａ、３３ｂの上縁にまで至って開放する切り込み形状に形成してある。これにより仕切り板３３ａ、３３ｂは電池２０がその正極電極部２１側を斜め上方から収納されるようなときでも、その正極電極部２１を開口３９ａ、３９ｂに受け入れることができ、そのときの電池２０の装着向きに応じ、既述した図４に示す接続状態と、図５に示す非接続状態とを得て逆接続防止機能を奏する。特に、可動な仕切り板３３ｂは電池２０を収納するときの押し退けにも従動して電池２０の収納、接続を邪魔することはないし、電池２０どうしの最終接続位置に安定する。電池２０の取り外しには仕切り板３３ａ、３３ｂは前記とは逆な作用、動作にて対応する。従って、電池２０の着脱の作業が容易になる。
【００２０】
さらに、図１、図２に示すように、固定型の仕切り板３３ａは収納室１と収納室２との間の１箇所、可動な仕切り板３３ｂは収納室２と収納室３との間、および収納室３と収納室４との間の２箇所に設けてある。また、電池２０を上記のように接続させるための既述したコイルバネ５１として、電池ホルダー３１を設ける製品本体５０の側で、電池ホルダー３１ａの収納室１に収納する電池２０を付勢するようにしたコイルバネ５１ａと、収納室２〜４に収納する電池２０を付勢するようにしたコイルバネ５１ｂとで構成している。このために、電池ホルダー３１ａの端部壁にも図１、図３、図８に示すような開口３４ａ、３４ｂを設けてそれらに対応する側のコイルバネ５１ａ、５１ｂを通すようにしている。
【００２１】
電池２０の正極電極部２１と接触するコイルバネ５１ａの側には負極電極部２２と対向したときコイルバネ５１ａとの接触を防止する絶縁性の逆接続防止部材５２を設けてある。この逆接続防止部材５２は図９、図１０に示すようにほぼ長円な平面形状を有し、コイルバネ５１ａにはその先端側巻線間に挟み付けて装着してある。この装着上体で逆接続防止部材５２が電池２０と対向する端面５２ａには、対向する正極電極部２１を受け入れる凹部５２ｂを有し、この凹部５２ｂの底部にそれを横断する溝５２ｃを設け、この溝５２ｃにコイルバネ５１ａの先端５１ａ１が嵌まり込んで逆接続防止部材５２を確実に保持するとともに前記凹部５２ｂ内に臨むようにしている。これにより、逆接続防止部材５２の端面５２ａに電池２０の負極電極部２２が図１１に仮想線で示すように当接してきても、凹部５２ｂに入り込めないのでコイルバネ５１ａの先端５１ａ１に接触しないが、正極電極部２１が対向するとこれを図８に示すように凹部５２ｂに受け入れてコイルバネ５１ａの先端５１ａ１と接触させ、電気的な接続ができるようになる。
【００２２】
一方のコイルバネ５１ａは収納室１に収納される電池２０をその正極電極部２１と電気的に接触した状態で負極電極部２２側に押動してその負極電極部２２を固定型の仕切り板３３ａに押し付ける。他方のコイルバネ５１ｂは収納室４に収納される電池２０を正極電極部２１の側に押動する。この押動は収納室３、収納室２に収納される電池２０にも互いの正極電極部２１と負極電極部２２との接触を伴って伝わり、収納室２に収納した電池２０の正極電極部２１が仕切り板３３ａの開口３９ａを通じこの仕切り板３３ａの反対側に押し付けられている収納室１の電池２０に接触し、コイルバネ５１ａ、５１ｂどうしが釣り合う位置に安定する。この安定する位置は、電池総高寸法の誤差などの変動によって変化するが、２つの仕切り板３３ｂが収納室２から収納室４までに収納された電池２０どうしの接続位置の変化に従動して対応するので問題はない。
【００２３】
そこで、電池ホルダー３１のスライド孔３６ａ、３６ａ、３６ｂの、仕切り板３３が移動する方向の図２に示す開口寸法Ｃは、日本の場合ＪＩＳに定められた電池総高寸法の最大もしくは最小の場合でも、仕切り板３３が適切な位置へ移動できるように設定し、前記接続位置の変化に対応する。
【００２４】
なお、固定型の仕切り板３３ａは１つであればどこに配置しても前記両側から働かせた２つのコイルバネ５１ａ、５１ｂによって、仕切り板３３ａを境に電池２０の数にかかわりなく可動型の仕切り板３３ｂの移動を伴い全ての電池２０を接続状態にすることができる。しかし、固定型の仕切り板３３ａがなくても複数の電池２０は可動型の仕切り板３３ｂの移動を伴い接続状態にすることができるので、固定型の仕切り板３３ａは必須とはならない。
【００２５】
以上は、電池２０が適正な向きに収納された場合である。図１２、図１３に逆接続防止状態を示している。図１２に示す場合は、収納室３に収納した電池２０が逆向きになっていて、収納室３、４の電池２０は正極電極部２１どうしが接続し合っている。しかし、収納室２、３の電池２０は負極電極部２２どうしが対向して仕切り板３３ｂに接触を邪魔されているので、電池２０の全体としては接続が断たれている。図１３に示す場合は、収納室２に収納した電池２０が逆向きになっていて、収納室２、３の電池２０は正極電極部２１どうしが接続し合っている。しかし、収納室１、２の電池２０は負極電極部２２どうしが対向して仕切り板３３ａにより接触を邪魔されているので、電池２０の全体としては接続が断たれている。
【００２６】
本実施例１での既述した引っ掛かり部３３３は、図１、図２、図６、図８に示すように２つある可動な仕切り板３３ｂの片面上部の左右に引っ掛かり部３３ｂ３として設けてある。収納室２、３間の仕切り板３３ｂの引っ掛かり部３３ｂ３は収納室２の側に向き、収納室３、４間の仕切り板３３ｂの引っ掛かり部３３ｂ３は収納室３の側に向いている。これによって、引っ掛かり部３３ｂ３は図８に示すようにコイルバネ５１ａ、５１ｂのいずれにも接触せず、また、固定型の仕切り板３３ａとの対面や接触がない、また、中央部にあって、不安定になりやすい収納室２、３の電池２０につき、負極電極２２側で、電池２０の電池ホルダー３１ａからの飛び出し側に引っ掛かって飛び出しを防止する。もっとも、引っ掛かり部３３ｂ３は電池２０の正極電極２１側に引っ掛かって飛び出しを防止するようにしてもよい。また、このような飛び出し防止は仕切り板３３ｂ３が不用意に外れないことが前提であるので、電池ホルダー３１ａへの保持が確実になされている必要がある。従って、既述した左右の突片３３ｂ１、３３ｂ１と左右のスライド孔３６ａ、３６ａとの無理嵌めはそのような条件を満足して行う。
【００２７】
引っ掛かり部３３ｂ３は４つある収納室１〜４のうちの２つの収納室２、３における片側だけにある。これにより、引っ掛かり部３３ｂ３のある収納室２、３を優先して電池２０を装着すれば、引っ掛かり部３３ｂ３が邪魔にならない位置へ仕切り板３３ｂを押し退けられるので、十分な余裕を持って容易に装着し、また、飛び出しが防止される引っ掛かり部３３ｂ３との引っ掛かり合い状態にすることができる。この後、収納室４に電池２０を収納することによって収納室２〜３の電池２０は、２つの仕切り板３３ｂの移動を伴い接続状態になるのに併せ、収納室２、３の電池２０は負極電極２２が対向している仕切り板３３ｂの引っ掛かり部３３ｂ３と引っ掛かり合った状態に安定し、以降、電池２０の飛び出しが確実に防止される。収納室１の電池２０の収納を最後にすると、収納室２、３の電池２０を装着する際の余裕が増すものの、収納室４に収納する電池２０分の余裕に比べると極くわずかであるので、収納の後先を問題にする必要はない。電池２０を取り出すときは、前記とは逆に収納室４の電池２０を優先して取り出すと、収納室２、３の電池２０を引っ掛かり部３３ｂ３との引っ掛かりを外して取り出す余裕が得られる。
【００２８】
このような余裕は、仕切り板３３ｂが移動できる距離の大きさに依存している。しかし、あまり大きくすると電池２０を順次に収納し、接続していく作業過程での電池２０の安定度が低下するので、引っ掛かり部３３ｂ３の電池２０の飛び出しを確実に防止できる突出寸法と、前記余裕度合との兼ね合いにて必要最小限に抑えるのが好適である。また、引っ掛かり部３３ｂ３は仕切り板３３ｂの左右に分かれて形成していることも、電池２０を着脱する邪魔になりにくくしている。しかし、これを連続に形成することもできる。
【００２９】
図１４〜図１８に示す実施例２は、電池２０を２個ずつ直列にして２列に収納し、４個の電池２０を直列に接続する場合の１例である。既述した電池ホルダー３１として、図１４、図１６、図１７に示すように電池２０を２個ずつ直列にして２列に収納する長さおよび幅を持った１つの収納室１０１を形成した幅が広く短い形態の電池ホルダー３１ｂを構成している。電池ホルダー３１ｂは１つの収納室１０１を持つだけであるため、収納した電池２０を各列ごとに直列な状態に安定させるガイド１０１ａを持っている。ガイド１０１ａは電池ホルダー３１ｂの長手方向数個所、具体的には１つの電池２０に対して端部寄り２個所を案内する４箇所に位置している。電池ホルダー３１ｂの底部は図１５に示すように長手方向にはストレートな形状で、幅方向には図１６に示すような両側に電池２０の外形に沿う丸み部３１ｂ１を持った平たい船底形状となっている。ガイド１０１ａはこの船底形状の平坦部分において、図１６、図１７に示すように前記両側の丸み部３１ｂ１に連続して電池２０の外形に沿う山形に突出して形成している。しかし、ガイド１０１ａは底部形状そのものの形状とするなどどのように形成してもよい。また、電池２０の外形に沿うようなガイド１０１ａがなくても収納室１０１の全体の大きさにて整列状態に拘束することもできる。
【００３０】
収納室１０１に収納する電池２０の列ごとに可動型の仕切り板３３ｃを設けて直列な電池２０の間を仕切る既述の仕切り板３３を構成するようにしてある。仕切り板３３ｃは図１８に示すように既述した開口３９として実施例１と同様に上縁に開放した開口３９ｃを持ち、かつ、電池ホルダー３１ｂの底部に設けた左右一対のスライド孔３６ｃ、３６ｄに嵌まり合って厚みＴ方向に移動できるように案内される２つの突片３３ｃ１、３３ｃ２を有している。本実施例２の仕切り板３３ｃはさらに、既述した電池２０の飛び出しを防止する引っ掛かり部３３３として、前記開口３９ｃの左右両側の上部片面に厚みＴ方向に突出させた引っ掛かり部３３ｃ３として、２つある仕切り板３３ｃの双方に設け、対応する電池２０の負極電極部２２と図１５、図１６に示すように引っ掛かり合うようにしてある。
【００３１】
スライド孔３６ｃ、３６ｄは電池ホルダー３１ｂの丸み部３１ｂ１と、電池ホルダー３１ｂの長手方向中央部に位置する２つのガイド１０１ａの間で平坦な底部の幅方向中央位置から立ち上がるように一体形成したガイド壁１０１ｃとに形成してある。これに対応して仕切り板３３ｃの突片３３ｃ１、３３ｃ２は、図に示すように仕切り板３３ｃの下部の左右に突出して図１７に一点鎖線の矢印で示すようにスライド孔３６ｃ、３６ｄに嵌め合わせて前記案内を受けるようにしてあり、この嵌まり合いが仕切り板３３ｃの外れ止めとなって前記引っ掛かり部３３ｃ３による電池２０の飛び出し防止を確実にする。さらに仕切り板３３ｃはその下端に前記ガイド壁１０１ｃと電池ホルダー３１ｂの底部とがなすコーナ部３１ｂ２に沿う厚みＴ方向に比較的長く突出した脚部３３ｃ４を有し、この脚部３３ｃ４が前記コーナ部３１ｂ２に沿っていることによって仕切り板３３ｃが厚みＴ方向に倒れたり、平面から見て斜めになったりするのを防止する。
【００３２】
電池ホルダー３１ｂは既述したコイルバネ５１として、各列の電池２０の一方側に設けたコイルバネ５１ｃにて構成し、他方側に固定電極１０２を設けてある。また、コイルバネ５１ｃと固定電極１０２との配置は列ごとで逆向きになっていて、同じ側となるコイルバネ５１ｃと固定電極１０２どうしを図１４の右側に示すように固定電極１０２によって電気的な接続状態にしてある。
【００３３】
各列の２つの電池２０はそれらの間の仕切り板３３ｃを伴いコイルバネ５１ｃによって固定電極１０２に押し付けられる。このとき各電池２０の正極電極部２１と負極電極部２２が対向しているときは仕切り板３３ｃの開口３９ｃを通じて余裕スペースＳ１をもって接触した接続状体となり、４個の電池２０は直列に接続される。負極電極部２２どうしが対向しているときは仕切り板３３ｃの既述した逆接続防止機能が働いて接触を邪魔され接続が断たれる。
【００３４】
各列の電池２０どうしは図１４に見られるように互いに逆な向きで、一方側のコイルバネ５１ｃによる応動にて接続される関係から、各列における電池２０の接続位置が互いにずれる。これに伴って各列における仕切り板３３ｃの移動範囲が重なり合わないのを利用して、共通のガイド壁１０１ｃを共用して左右両側の仕切り板３３ｃに対するスライド孔３６ｄを同じ条件にて設けてある。この結果、各列の仕切り板３３ｃは左右対称な形態のものとして用いることができ、同一部品となる。これは、前記引っ掛かり部３３ｃ３を両面に設ける場合でも変わらない。
【００３５】
本実施例２では、引っ掛かり部３３ｃ３を仕切り板３３ｃの片面に設けるのに、コイルバネ５１ｃに接触しない電池２０の負極電極２２側と引っ掛かり合うように設けてあり、固定電極１０２と接触する電池２０を優先して装着することにより、仕切り板３３ｃが可動であることによる余裕を持って引っ掛かり部３３ｃ３との引っ掛かりを図り装着できるようにしている。本実施例２では、４つの電池２０を収納するのに、２列にすることで仕切り板３３として２つの仕切り板３３ｃを設けるだけでよく、しかも、２つの仕切り板３３ｃが可動であることによる電池２０の安定性が直列配置の場合に比して倍増する。
【００３６】
【発明の効果】
本発明によれば、仕切り板の全てか一部を可動とすることにより、従来必要であった電池間の金属板とコイルバネをなくし、端部側の一方または双方にコイルバネを設けるだけで逆接続防止が図れるため、小型かつ軽量で安価な電池ホルダー装置を提供することができる。また、仕切り板の片面または両面に厚み方向に突出している引っ掛かり部と、仕切り板の移動とによって電池を飛び出さないように容易に収納できる。
【図面の簡単な説明】
【図１】本発明の実施の形態に係る電池ホルダー装置の１つの実施例を示す平面図。
【図２】図１の電池ホルダー装置の正面図。
【図３】図１の電池ホルダー装置の側面図。
【図４】電池どうしが正常に接続された状態を示す平面図。
【図５】電池どうしが逆接続を防止された状態を示す平面図。
【図６】図１の電池ホルダー装置に用いた可動型の仕切り板の正面図。
【図７】図１の電池ホルダー装置に用いた固定型の仕切り板の正面図。
【図８】図１の電池ホルダー装置での電池どうしが正常に接続された状態を示す平面図。
【図９】図１の電池ホルダー装置に用いたコイルバネ先端部の逆接続防止部材の断面図。
【図１０】図９の逆接続防止部材の正面図。
【図１１】図９の逆接続防止部材のコイルバネへの装着状態を示す側面図。
【図１２】図１の電池ホルダー装置での電池どうしが逆接続を防止された１つの状態を示す平面図。
【図１３】図１の電池ホルダー装置での電池どうしが逆接続を防止された今１つの状態を示す平面図。
【図１４】本発明の実施の形態に係る電池ホルダー装置の今１つの実施例を示す平面図。
【図１５】図１４の電池ホルダー装置の縦断面図。
【図１６】図１４の電池ホルダー装置の横断面図。
【図１７】図１４の電池ホルダー装置における仕切り板設置部の斜視図。
【図１８】図１４の電池ホルダー装置に用いた可動型の仕切り板を示し、その（ａ）は斜視図、その（ｂ）は平面図、その（ｃ）は左側面図、その（ｄ）は正面図、その（ｅ）は右側面図。
【図１９】従来の電池ホルダー装置を示す正面図。
【図２０】図１９の電池ホルダー装置における仕切り板部のコイルバネを省略した平面図。
【図２１】図１９の電池ホルダー装置における仕切り板部を見た断面図。
【図２２】図１９の電池ホルダー装置に適用した仕切り板部の詳細平面図。
【図２３】電池を示す平面図。
【図２４】図１９の電池ホルダー装置における電池どうしの正常な接続状態を示す平面図。
【図２５】図１９の電池ホルダー装置における電池どうしの逆接続防止状態を示す平面図。
【符号の説明】
１〜４、１０１  収納室
２０  電池
２１  正極電極部
２２  負極電極部
３１、３１ａ、３１ｂ  電池ホルダー
３３、３３ａ〜３３ｃ  仕切り板
３９、３９ａ〜３９ｃ  開口
５１、５１ａ〜５１ｃ  コイルバネ
３３３、３３ｂ３、３３ｃ３  引っ掛かり部
【図１】
2004259622.tif 000003
【図２】
2004259622.tif 000004
【図３】
2004259622.tif 000005
【図４】
2004259622.tif 000006
【図５】
2004259622.tif 000007
【図６】
2004259622.tif 000008
【図７】
2004259622.tif 000009
【図８】
2004259622.tif 000010
【図９】
2004259622.tif 000011
【図１０】
2004259622.tif 000012
【図１１】
2004259622.tif 000013
【図１２】
2004259622.tif 000014
【図１３】
2004259622.tif 000015
【図１４】
2004259622.tif 000016
【図１５】
2004259622.tif 000017
【図１６】
2004259622.tif 000018
【図１７】
2004259622.tif 000019
【図１８】
2004259622.tif 000020
【図１９】
2004259622.tif 000021
【図２０】
2004259622.tif 000022
【図２１】
2004259622.tif 000023
【図２２】
2004259622.tif 000024
【図２３】
2004259622.tif 000025
【図２４】
2004259622.tif 000026
【図２５】
2004259622.tif 000027